(57)【特許請求の範囲】
【請求項１】
基地局に送信パケットと前記送信パケットの送信電力に対し初期値が−９ｄＢ以上−５ｄＢ以下の送信電力を有する応答信号を送信する送信部と、
前記基地局からの受信信号を受信する受信部と、
前記受信信号が正常に受信された場合、前記応答信号として肯定応答信号を前記基地局に送信するように前記送信部を制御する応答制御部とを有し、
前記応答制御部は、前記受信信号が正常に受信されて前記肯定応答信号が前記初期値の送信電力である第１の送信電力で送信された後に、正常に受信された前記受信信号が２回以上連続して再送された場合、前記第１の送信電力より大きい第２の送信電力で前記肯定応答信号を再送信するように前記送信部を制御する
通信端末。
【請求項２】
請求項１に記載の通信端末において、
前記送信部は更に、前記応答信号とは異なる送信パケットを送信し、
前記第２の送信電力は、前記肯定応答信号の変調方式で変調されて送信される前記送信パケットの送信電力であることを
特徴とする通信端末。
【請求項３】
請求項１に記載の通信端末において、
前記第２の送信電力は、前記基地局から送信された下り信号の特性に応じた所定の倍率分だけ前記第１の送信電力より大きいことを
特徴とする通信端末。
【請求項４】
請求項３に記載の通信端末において、
前記応答制御部は、
前記第２の送信電力で前記肯定応答信号が再送信された後に前記下り信号の特性が改善された場合、前記肯定応答信号の送信電力を小さくする
ことを特徴とする通信端末。
【請求項５】
基地局に送信パケットと前記送信パケットの送信電力に対し初期値が−９ｄＢ以上−５ｄＢ以下の送信電力を有する応答信号を送信する通信端末における再送制御方法であって、
前記基地局からの受信信号が正常に受信された場合、前記応答信号として肯定応答信号を前記基地局に送信し、
前記受信信号が正常に受信されて前記肯定応答信号が前記初期値の送信電力である第１の送信電力で送信された後に、正常に受信された前記受信信号が２回以上連続して再送された場合、前記第１の送信電力より大きい第２の送信電力で前記肯定応答信号を再送信する
再送制御方法。
【発明の詳細な説明】
【技術分野】
【０００１】
本発明は、通信端末および応答制御部に関する。
【背景技術】
【０００２】
エラーが発生しやすい通信（例えば、無線通信）には、パケットが正常に受信されなかった場合、そのパケットを再度送信（再送）するように要求する仕組み（自動再送要求、ＡＲＱ(Automatic Repeat Request)）が設けられている。
【０００３】
この仕組み（自動再送要求）では、パケットが正常に受信されると受信側は、ＡＣＫ（Acknowledgements、肯定応答）信号を送信側に返送(送信)する。ＡＣＫ信号が返送された送信側は、次のパケットを受信側に送信する。
【０００４】
一方、パケットが正常に受信されないと受信側は、ＮＡＣＫ（Negative Acknowledgements、否定応答）信号を送信側に返送する。ＮＡＣＫ信号が返送された送信側は、正常に受信されなかったパケットを再送する。
【０００５】
パケットの送信後、所定の時間が経過してもＡＣＫ信号及びＮＡＣＫ信号（以下、応答信号と呼ぶ）のいずれの応答信号も返送されてこない場合、送信側は同じパケットを受信側に再送する。
【０００６】
このような手順によりパケットは、送信側から受信側に確実に送信される。
【先行技術文献】
【特許文献】
【０００７】
【特許文献１】特開２００６−２６２３５７号公報
【発明の概要】
【発明が解決しようとする課題】
【０００８】
応答信号（ＡＣＫ信号及びＮＡＣＫ信号）の送信電力が低いと、応答信号が伝搬路で劣化してしまい、ＡＣＫ信号が送信側で復調できないことがある。この場合、受信側によってパケットが正常に受信されているにも拘わらず、送信側は応答信号が送信されてこなかったと判断し、受信側に同じパケットが何度も再送してしまう。その結果、通信効率が著しく低下する。この問題は、例えばＷｉＭＡＸ（World Interoperability for Microwave Access）などの無線端末で生じやすい。
【課題を解決するための手段】
【０００９】
上記の問題を解決するために、本装置の一観点によれば、送信部と、受信部と、応答制御部とを有する通信端末が提供される。
【００１０】
前記送信部は、基地局に応答送信を送信する。前記受信部は、前記基地局からの受信信号を受信する。前記応答制御部は、前記受信信号が正常に受信された場合、肯定応答信号を前記基地局に送信するよう前記送信部を制御する。
【００１１】
さらに、前記応答制御部は、前記受信信号が正常に受信されて前記肯定応答信号が第１の送信電力で送信された後に正常に受信された前記受信信号が再送された場合、前記第１の送信電力より大きい第２の送信電力で前記肯定応答信号を再送信するよう制御する。
【発明の効果】
【００１２】
本装置によれば、基地局へのＡＣＫ信号の未到達による同一パケットの繰り返し送信が抑制される。
【図面の簡単な説明】
【００１３】
【図１】通信端末の構成図である。
【図２】通信端末のより詳しい構成図の一例である。
【図３】実施の形態１の通信端末における信号の流れを示す図である。
【図４】応答制御部内の信号の流れを示す図である。
【図５】応答制御部が実行する応答制御のフローチャートである。
【図６】応答制御部が実行する応答制御のフローチャートである。
【図７】通信端末の応答シーケンスである。
【図８】通信端末の応答シーケンスである。
【図９】通信端末の応答シーケンスである。
【図１０】実施の形態２の応答制御部の構成図である。
【図１１】実施の形態２の通信端末の変形例を説明する構成図である。
【図１２】実施の形態３の応答制御部の構成図である。
【図１３】調整値補正部が行う補正処理の説明図である。
【発明を実施するための形態】
【００１４】
以下、図面にしたがって本発明の実施の形態について説明する。但し、本発明の技術的範囲はこれらの実施の形態に限定されず、特許請求の範囲に記載された事項とその均等物まで及ぶものである。尚、図面が異なっても対応する部分には同一符号を付し、その説明を省略する。
【００１５】
（実施の形態１）
図１は、通信端末２の構成図である。図１に示すように、通信端末２は、アンテナ４と、受信部６と、送信部８と、応答制御部１０と、データ処理部１２とを有している。
【００１６】
受信部６は、基地局（図示せず）から送信されたパケット（以下、受信パケットと呼ぶ）や制御信号などの受信信号を、アンテナ４を介して受信する。
【００１７】
データ処理部１２は、受信パケットや入力されたデータを処理し、基地局に送信するパケットや制御信号を生成する。送信部８は、データ処理部１２が生成したパケット（以下、送信パケットと呼ぶ）や制御信号（応答信号を含む）などの送信信号を周波数変換して得た無線信号を、アンテナ４を介して基地局に送信する。
【００１８】
応答制御部１０は、受信パケットが正常に受信された場合、送信部８に、ＡＣＫ信号（肯定応答信号）を基地局に送出する制御を行う（ＡＣＫ信号を基地局に送信するように送信部を制御する。）。一方、受信パケットが正常に受信されなかった場合、応答制御部１０は、送信部８に、ＮＡＣＫ信号（否定応答信号）を基地局に送出する制御を行う（ＮＡＣＫ信号を基地局に送信するように送信部を制御する。）。
【００１９】
さらに、応答制御部１０は、受信パケットが正常に受信されて第１の送信電力でＡＣＫ信号が送出（送信）された後に、正常に受信された上記受信パケットが基地局から再送された場合、第１の送信電力より高い第２の送信電力で送信部にＡＣＫ信号を再度返送する制御を行う。すなわち、応答制御部１０は、上記の場合、第１の送信電力より高い第２の送信電力でＡＣＫ信号を再度返送するように送信部を制御する。尚、返送とは、受信信号に応答して、ＡＣＫ信号やＮＡＣＫ信号などの応答信号を送信側（上記受信信号を送信した通信装置）に送信することである。
【００２０】
以下、通信方式がモバイルＷｉＭａｘ（IEEE802.16e-2005）である場合について、通信端末２を詳しく説明する。ただし、実施の形態１は、モバイルＷｉＭａｘに限らず、他の通信方式（特に無線通信）にも適用できる。
【００２１】
（１）受信部
図２は、通信端末２のより詳しい構成図の一例である。図３は、通信端末２における信号の流れを示す図である。
【００２２】
図２に示すように、受信部６は、高周波集積回路（RF IC; Radio Frequency Integrated Circuit）１４と、アナログデジタル変換器（ADC）１６と、高速フーリエ変換器(FFT)１８と、復調器２０とを有している。
【００２３】
高周波集積回路１４は、図３に示すように、基地局が送信した無線信号（受信パケットや制御信号など）がアンテナ４に入射すると、受信した無線信号を周波数変換してアナログのベースバンド信号２２ａを出力し、アナログデジタル変換器１６に供給する。アナログデジタル変換器１６は供給されたアナログのベースバンド信号２２ａをデジタル信号２４に変換し、高速フーリエ変換器１８に供給する。
【００２４】
高速フーリエ変換器１８は、デジタル化されたベースバンド信号２４をフーリエ変換して、タイムスロット（フレームを時間で分割した一区画）ごとに周波数領域のデータ２６（周波数、振幅、および位相の組み合わせ）に変換する。変換された周波数領域のデータ２６は、復調器２０に供給される。
【００２５】
復調器２０は、この周波数領域のデータを時間領域のデータ（ビット列）に変換（復調）する。ただし、他の通信端末宛に送信されたパケットは復調されない。
【００２６】
復調されたデータのうちの制御信号に対応するデータ（復調された制御信号）は、受信部６、送信部８、応答制御部１０などに供給され、無線信号の受信や送信の制御に利用される。復調されたデータのうちの受信パケットに対応するデータ２８ａ（復調された受信パケット）は、応答制御部１０に供給される。
【００２７】
このように受信部６は、基地局から送信されたパケット（受信パケット）および制御信号を受信する。
【００２８】
無線信号の変調方式は、直交位相変調（Quadrature Phase Shift Keying; QPSK）や直交振幅変調（Quadrature Amplitude Modulation; QAM）である。無線信号は、タイムスロットと周波数領域の組み合わせごとに、異なる方式で変調されていてもよい。後述する送信部８の変調方式についても、同様である。
【００２９】
（２）データ処理部
データ処理部１２は、例えばＣＰＵ（Central Processing Unit）３０と、メモリ３２と、ＤＬ（Downlink）メモリ３４と、ＵＬ（Uplink）メモリ３６とを有している。メモリの構成は一例であって、一つのメモリで構成されてもよい。データ処理部１２は、さらに上位レイヤのデータ処理部（図示せず）に接続されている。
【００３０】
後述するように、応答制御部１０は、復調された受信パケット２８ａに対して、送信中や受信中に発生する誤りを訂正する誤り訂正（復号）と誤り検出を行う。誤りを有していない受信パケットおよび誤りが正しく訂正された受信パケット３８は、ＤＬメモリ３４に格納される。
【００３１】
ＣＰＵ３０は、メモリ３２に記録されたプログラムにしたがって、ＤＬメモリ３４に記録された受信パケット３８や入力部から供給されたデータを処理して、基地局に送信される送信データや出力部に供給される出力データを生成する。生成された送信データは、送信パケットに分割されＵＬメモリ３６に記録される。
【００３２】
メモリ３２には、プログラム以外にも、演算途中のデータや保存用のデータが記録される。
【００３３】
（３）送信部
送信部８は、図２に示すように、サブキャリア割当（Sub Carrier Allocation）部４０と、逆高速フーリエ変換（IFFT）部４２と、デジタルアナログ変換器４４と、高周波集積回路１４とを有している。サブキャリア割当部４０は、例えば論理回路とメモリ（バッファを含む）を有している。サブキャリア割当部４０は、論理回路の代わりに、ＣＰＵを有していてもよい。
【００３４】
図３に示すように、ＵＬメモリ３６に記録された送信パケット４６は、応答制御部１０に供給される。供給された送信パケット４６は、後述するように、誤り検出符号（例えば、CRC（Cyclic Redundancy Check）符号）が付加され、さらに誤り訂正ができるように符号化（例えば、ターボ符号化）される。符号化された送信パケット４８は、サブキャリア割当部４０に供給される。
【００３５】
サブキャリア割当部４０は、送信パケット４８および応答コード５０を周波数領域のデータ（周波数、振幅、および位相の組み合わせ）５２に変換（変調）する。
【００３６】
この時、送信パケット４８および応答コード５０の１ビットまたは連続する複数のビット（ビット列）が、複数の周波数（サブキャリア）のうちの一つに割り当てられる。各サブキャリアは、共通のタイムスロットで時分割されている。
【００３７】
周波数領域のデータ５２に変調された送信パケット４８および応答コード５０は、逆高速フーリエ変換部４２に供給される。逆高速フーリエ変換部４２は供給された周波数領域のデータ５２をタイムスロットごとに逆フーリエ変換して、時間領域のデータ５４を生成する。生成された時間領域のデータ５４は、デジタルアナログ変換器４４に供給される。
【００３８】
デジタルアナログ変換器４４は、供給された時間領域のデータ５４をアナログのベースバンド信号２２ｂに変換して、ＲＦＩＣ１４に供給する。
【００３９】
ＲＦＩＣ１４は、供給されたアナログのベースバンド信号２２ｂを搬送波とミキシングして無線信号に変換し、アンテナ４を介して基地局に送信する。以上の手順で、送信部８は、送信パケット４６および応答信号（応答コード）５０を基地局に送信する。
【００４０】
基地局と通信端末２の通信は、下りサブフレームと上りサブフレームとを有するＴＤＤ（Time Division Duplexing、時分割多重）フレームを用いて行われる。
【００４１】
まず基地局が、複数の通信端末に、制御信号や受信パケットを含む下りサブフレームを送信する。下りサブフレームの送信が終了すると、複数の通信端末が、共通の上りサブフレームを用いて送信パケット４８や応答信号５０を基地局に送信する。
【００４２】
基地局から送信されてくるデータは、下りサブフレーム内の領域（プリアンブル、ＦＣＨ（Frame Control Header）、ＭＡＰ、バーストなど）に割り当てられる。一方、通信端末２から基地局に送信されるデータは、上りサブフレーム内の領域（ＡＣＫＣＨ、バーストなど）に割り当てられる。
【００４３】
通信端末２から送信される応答信号は、上りサブフレームのＡＣＫＣＨ（ＡＣＫチャネル）で送信される。通信端末２から送信される送信パケットは、上りサブフレームのバーストで送信される。
【００４４】
（４）応答制御部
（i）応答制御
図４は、応答制御部１０内の信号の流れを示す図である。図５及び６は、応答制御部１０が実行する応答制御のフローチャートである。図７〜９は、通信端末２の応答シーケンスである。
【００４５】
図２及び４に示すように、応答制御部１０は、下り誤り訂正部５６と、下りＨＡＲＱ（Hybrid Automatic Repeat Request）処理部５８と、ＨＡＲＱ＿ＳＮ判定部６０と、ＡＣＫＣＨ処理部６２と、上りＨＡＲＱ処理部６４と、上り誤り訂正部６６とを有している。図４には、送信部８のサブキャリア割当部４０も示されている。
【００４６】
応答制御部１０の各ブロック（下り誤り訂正部５６等）は、論理回路またはＣＰＵを有している。さらに一部または全てのブロックは、メモリ（バッファを含む）を有している。後述する実施の形態２〜３の各ブロックについても、同じである。
【００４７】
図５及び６には、基地局によるパケット送信のフローチャート（左側）と通信端末２による応答制御のフローチャート（右側）とが示されている。図７〜９には、通信端末２の応答がケースごとに示されている。
【００４８】
―ケース１（図７（ａ））―
図７（ａ）に示すように、まず基地局が通信端末２にパケット（受信パケット）２８を送信する。
【００４９】
その際、基地局は、図５に示すように、通信端末２に送信するパケットに誤り検出符号（例えば、ＣＲＣ（Cyclic Redundancy Check）符号）を付加する（Ｂ２）。さらに基地局は、誤り検出符号が付加されたパケットを、誤り訂正ができるように符号化（例えば、ターボ符号化）する（Ｂ２）。この符号化されたパケット２８（下りデータ＃０）が、通信端末２に送信される（Ｂ４）。この間、通信端末２は、パケットの受信を待ち続ける（Ｓ２）。
【００５０】
図４に示すように、通信端末２の受信部６は基地局から送信されてくるパケット（受信パケット）２８を受信すると、この受信パケット２８を復調して応答制御部１０の下り訂正部５６に供給する。
【００５１】
下り誤り訂正部５６は、復調された受信パケット２８ａを復号（誤り訂正）して、下りＨＡＲＱ処理部５８に供給する（Ｓ４）。
【００５２】
下りＨＡＲＱ処理部５８は、復号された受信パケット２８ｂに付加されている誤り検出符号を用いて誤り検出を行う（Ｓ６）。この誤り検査の結果に基づいて、下りＨＡＲＱ処理部５８は、受信パケット２８が正常に受信されたか否かを判断する（Ｓ８）。
【００５３】
例えば、復号された受信パケット２８ｂに誤りが検出されなかった場合、下りＨＡＲＱ処理部５８は、受信パケットが正常に受信されたと判断する。一方、復号された受信パケット２８ｂに誤りが検出された場合、下りＨＡＲＱ処理部５８は、受信パケット２８は正常に受信されなかったと判断する。
【００５４】
受信パケット２８が正常に受信されたと判断されると、下りＨＡＲＱ処理部５８は、肯定応答コード（ＡＣＫコード）の生成を指示する命令６７ａを、ＡＣＫＣＨ処理部６２に供給する。この命令６７ａに応答して、ＡＣＫＣＨ処理部６２はＡＣＫコード７０を生成し、サブキャリ割り当て部４０に供給する。
【００５５】
さらに下りＨＡＲＱ処理部５８は、基地局から送信されてくる、ＨＡＲＱ情報（データ）からＨＡＲＱ識別一連番号（HARQ Identifier Sequence Number; AI_SN）６９とＨＡＲＱチャネル識別番号（HARQ Channel Identifier; ACID）７１を抽出する。抽出された、ＨＡＲＱ識別一連番号およびＨＡＲＱチャネル識別番号は、ＨＡＲＱ＿ＳＮ（ＨＡＲＱ一連番号）判定部６０に供給される。
【００５６】
ＨＡＲＱ＿ＳＮ判定部６０は、ＨＡＲＱ識別一連番号６９とＨＡＲＱチャネル識別番号７１に基づいて、受信パケット２８が受信済みのパケットであるか否かを判断する（Ｓ１０）。判断の手順については、後記「ケース４」で説明する。
【００５７】
受信パケット２８が受信済みのパケットでない場合、ＨＡＲＱ＿ＳＮ判定部６０は、ＡＣＫＣＨ処理部６２から供給された応答コードを設定済みの送信電力で送信するようにという命令７３を、サブキャリ割り当て部４０に供給する。応答コードとは、ＡＣＫコード７０および後述するＮＡＣＫコード７６のことである。
【００５８】
サブキャリ割り当て部４０は、この命令７３に応答して、ＡＣＫＣＨ処理部６２から供給されたＡＣＫコード７０を上りサブフレームのＡＣＨＣＨに割り当て、符号化された送信パケット４８と共に変調して周波数領域のデータ５２に変換（変調）する。
【００５９】
変調されたＡＣＫコードは、逆高速フーリエ変換器４２などによってＡＣＫ信号７２に変換された後、図７（ａ）に示すように基地局に送信される（Ｓ１２）。
【００６０】
尚、ＡＣＫ信号７２は、図７（ａ）に示すように、受信パケット２８のＨＡＲＱ識別一連番号（＃の後の番号）と共に送信されてもよい。後述するＮＡＣＫ信号も、同様である。
【００６１】
図５に示すように、基地局は、通信端末２にパケット（下りデータ＃０）２８を送信した後は、応答信号の返送を待ち続けている（Ｂ６）。基地局は、通信端末２が送信した応答信号を受信しこの応答信号がＡＣＫ信号７２と判断すると、ＡＣＫ信号７２に対応するパケット（下りデータ＃０）の送信処理を終了する（Ｂ８→Ｂ１０）。
【００６２】
その後、基地局は、図７（ａ）に示すように、次のパケット７４（下りデータ＃１）の送信を開始する（Ｂ１２）。このパケット７４（下りデータ＃１）に応答して、応答制御部１０は応答制御を実行し、パケット７４が正常に受信された場合には、図７（ａ）に示すようにＡＣＫ信号７２ａを返送する。このような応答が繰り返され、基地局から通信端末に複数のパケットが送信される。
【００６３】
ところで、応答信号（ＡＣＫ信号およびＮＡＣＫ信号）は、サブキャリ割当部４０に設定された変調強度（周波数領域データの「振幅」）に応じた送信電力で送信される。応答信号の変調強度は、図７（ａ）〜図８（ａ）のケースでは一定であるが、後述する図８（ｂ）のケースでは変更される。
【００６４】
変更される前の応答信号の送信電力（以下、送信電力の初期値と呼ぶ）は、制御信号の一部として間歇的に基地局からブロードキャスト（一斉同報）される。送信電力の初期値は、受信パケットを用いて送信される。データ処理部１２は、この送信電力の初期値に対応する送信電力を、サブキャリ割り当て部４０に設定する。
【００６５】
モバイルＷｉＭＡＸ等では、（応答信号の）送信電力の初期値は、送信パケット４８の送信電力より低く設定される。
【００６６】
―ケース２（図７（ｂ））―
下りＨＡＲＱ処理部５８は、復号された受信パケット２８ｂに誤りを検出すると、受信パケット２８が正常に受信されなかったと判断する（Ｓ８）。すると下りＨＡＲＱ処理部５８は、図４に示すように、ＡＣＫＣＨ処理部６２に否定応答コード（ＮＡＣＫコード）の生成を指示する命令６７ｂを供給する。
【００６７】
すると、ＡＣＫＣＨ処理部６２はＮＡＣＫコード７６を生成し、送信部８のサブキャリ割当部４０に供給する。ＡＣＫコード７０と同様、ＮＡＣＫコード７６はＡＣＨＣＨに割り当てられ、基地局に返送される（Ｓ８→Ｓ１４）。これにより、図７（ｂ）に示すように、ＮＡＣＫ信号７８が基地局に返送される。
【００６８】
基地局は、ＮＡＣＫ信号７８を受信するとパケット送信処理を再開し、パケット２８ｃ（下りデータ＃０）を再送する（Ｂ６→Ｂ８→Ｂ２→Ｂ４）。
【００６９】
通信端末２は、ＮＡＣＫ信号７８を返送した後、再送されてくるパケットを待ち続けている（Ｓ１４→Ｓ２）。通信端末２は、再送されてきたパケット２８ｃを受信すると、応答制御を再開する。
【００７０】
再送されたパケット２８ｃが正しく受信されると、通信端末２は、ＡＣＫ信号７２を基地局に返送する（Ｓ８→Ｓ１０→Ｂ→Ｓ１６→Ｄ→Ｓ１２）。基地局は、このＡＣＫ信号７２を受信すると、ＮＡＣＫ信号７８が返送されたパケット２８（下りデータ＃０）の送信処理が終了する（Ｂ６→Ｂ８→Ｂ１０）。
【００７１】
通信端末２は、ＡＣＫ信号７２を返送する際、再送されてきたパケット２８ｃがＮＡＣＫ信号に応答して返送されたものか否を判断する（Ｓ１６）。この判断の手順については、後記「ケース４」で説明する。
【００７２】
ところで、通信端末２は、ＮＡＣＫ信号７８に応答して受信パケット２８ｃが再送されてきた場合、再送されてきた受信パケット２８ｃと前回受信した受信パケット２８とを最大比合成してから復号する（チェイス合成）。
【００７３】
この復号処理のため、例えば、下り誤り訂正部５６は、復号された受信パケット２８ｂに誤りが検出された場合、復調器２０により供給された受信パケット２８ａを廃棄せずに記録しておく。下り誤り訂正部５６は、次に供給される受信パケットと記録しておいた受信パケットとを最大比合成し、受信パケットを復号する。
【００７４】
―ケース３（図８（ａ））―
基地局はパケット２８（下りデータ＃０）を送信すると、ＡＣＫ/ＮＡＣＫ受信タイマを起動させる。図８（ａ）に示すように、ＡＣＫ/ＮＡＣＫ受信タイマの計測時間が所定の時間８０を過ぎても応答信号が受信されない場合（タイムアウト）、基地局は、応答のないパケット２８を再送する（Ｂ６→Ａ→Ｂ１０）。
【００７５】
再送されたパケット２８ｄが通信端末２によって正常に受信されると、図８（ａ）に示すように、ＡＣＫ信号７２が基地局に返送される（Ｓ２→Ｓ４→Ｓ６→Ｓ８→Ｓ１０→Ｓ１２）。
【００７６】
受信待ち時間のタイムアウトは、図８（ａ）に示すように雑音や通信環境の悪化によりパケット２８が通信端末２に届かない場合（すなわち、検出されない場合）などに発生する。
【００７７】
―ケース４（図８（ｂ））―
受信待ち時間のタイムアウトは、図８（ｂ）に示すように、通信端末２が返送したＡＣＫ信号７２が基地局に届かない場合にも発生する。この場合も基地局は、応答されないパケット２８を再送し、再び応答信号の受信を待つ（Ｂ６→Ａ→Ｂ１０→Ｃ→Ｂ６）。
【００７８】
再送されたパケット２８ｄに対する応答制御は、ケース１〜３の応答制御と共通する手順を有している。したがって、ケース１〜３の応答制御と共通する部分については、簡単に説明する。
【００７９】
通信端末２は、再送されてきたパケット２８ｄを受信すると、ケース１と略同じ手順で、再送されてきたパケット２８ｄを復調する（Ｓ２→Ｓ４→Ｓ６）。その後、通信端末２は、再送されてきたパケット２８ｄが正常に受信されたものか否か判断する（Ｓ８）。
【００８０】
再送されたパケット２８ｄは、電波環境の悪化や雑音の増加がなければ、先に送信されたパケット２８と同様、通信端末２に正常に受信される。この場合、通信端末２の下りＨＡＲＱ処理部５８は、再送されてきたパケット２８ｄ（受信パケット）が正常に受信されたと判断する。判断の手順は、ケース１の手順と略同じである。
【００８１】
下りＨＡＲＱ処理部５８には、復号された受信パケット２８ｂと共に、ＨＡＲＱ情報（データ）が供給される。ＨＡＲＱ情報は、下り誤り訂正部５６を介して（または直接）復調器２０から供給される。
【００８２】
下りＨＡＲＱ処理部５８は、受信パケット２８ｂのＨＡＲＱ情報から、ＨＡＲＱ識別一連番号（AI_SN）とＨＡＲＱチャネル識別番号（ACID）を抽出する。抽出されたＨＡＲＱ識別一連番号６９とＨＡＲＱチャネル識別番号７１は、ＨＡＲＱ＿ＳＮ（ＨＡＲＱ一連番号）判定部６０に供給される。
【００８３】
ＨＡＲＱチャネル識別番号は、パケットが伝送されるチャネルの識別子である。ＨＡＲＱチャネル識別番号を参照することで、同じデータから分割されたパケットか否かを判断することができる。ＨＡＲＱ識別一連番号は、同じデータから分割されたパケットに、送信順に従って付けられる番号である。ＨＡＲＱ識別番号は、例えば「０」と「１」である。この場合、「０」と「１」が、送信順にしたがってパケットに交互に付けられる。
【００８４】
ＨＡＲＱ識別番号とＨＡＲＱ識別一連番号を参照することで、受信パケット２８（図８（ｂ）参照）が受信済みのパケットであるか否か判断することができる。例えば、同じＨＡＲＱチャネル識別番号と同じＨＡＲＱ識別一連番号を有する受信パケットが連続して受信された場合、後の受信パケットは受信済みのパケットである。一方、同じＨＡＲＱチャネル識別番号と異なるＨＡＲＱ識別一連番号を有する受信パケットが連続して受信された場合、後の受信パケットは未受信のパケット（次のパケット）である。
【００８５】
尚、ＨＡＲＱ情報は、下りサブフレームのＭＡＰ（Ｍａｐ）領域に割り当てられて、基地局から通信端末２に送信される。ＭＡＰは無線リソース割り当て情報であり、通信制御情報の一部である。図７〜９に示す「＃」の後の番号は、ＨＡＲＱ識別一連番号の一例である。
【００８６】
ＨＡＲＱ＿ＳＮ判定部６０は、ＨＡＲＱ識別一連番号６９とＨＡＲＱチャネル識別番号７１に基づいて、受信パケット２８が受信済みのパケットであるか否かを判断する（Ｓ１０）。
【００８７】
図８（ｂ）に示すケースでは、再送されてきたパケット２８ｄは、通信端末２により既に受信されている。したがって、再送されてきたパケット２８ｄは、受信済みパケットと判断される。
【００８８】
ＨＡＲＱ＿ＳＮ判定部６０は、さらに再送されてきたパケット２８ｄが、正常に受信されＡＣＫ信号が返送された受信パケット（以下、ＡＣＫ信号が返送されたパケットと呼ぶ）であるか否かを判断する（Ｂ→Ｓ１６）。
【００８９】
ケース４では、再送されてくるパケット２８ｄは誤りを有さない。したがってパケット２８ｄに誤りが検出されないので、下りＨＡＲＱ処理部５８は、ケース１と同様、ＡＣＫコードの生成を指示する命令６７ａをＡＣＫＣＨ処理部６２に供給する（図４参照）。この命令６７ａに応答して、ＡＣＫＣＨ処理部６２はＡＣＫコード７０を生成し、サブキャリ割り当て部４０に供給する。
【００９０】
ＡＣＫＣＨ処理部６２は、ＡＣＫコード７０を生成すると、サブキャリア割当部４０だけでなく、ＨＡＲＱ＿ＳＮ判定部６０にも供給する。ＨＡＲＱ＿ＳＮ判定部６０は、供給されたＡＣＫコード７０を記録する。ケース４以外の応答制御でも、生成される応答コード（ＡＣＫコード７０及びＮＡＣＫコード７６）は、ＨＡＲＱ＿ＳＮ判定部６０に記録される。
【００９１】
ＨＡＲＱ＿ＳＮ判定部６０は、再送されてきたパケット２８ｄが受信済みパケットと判断すると、前回の応答の際に記録された応答コードに基づいて、再送されてきたパケットがＡＣＫ信号で返送されたパケットか否か判断する（Ｓ１０→Ｓ１６）。
【００９２】
前回記録された応答コードがＡＣＫコードならば、再送されてきたパケット２８ｄは、ＡＣＫ信号が返送されたパケットと判断される（Ｓ１６のＹＥＳ）。前回記録された応答コードがＮＡＣＫコードならば、再送されてきたパケット２８ｄは、ＮＡＣＫ信号が返送されたパケットと判断される（Ｓ１６のＮＯ）。
【００９３】
図８（ｂ）に示すケース４では、基地局から最初に送信されてきたパケット２８は、通信端末２に正常に受信され、ＡＣＫ信号７２が返送される。したがって、ケース４では、ＡＣＫＣＨ処理部６２は、再送されてきたパケット（受信パケット）２８ｄはＡＣＫ信号が返送されたパケットと判断する。
【００９４】
すると、ＨＡＲＱ＿ＳＮ判定部６０は、応答コードの送信電力設定値をより大きな値に変更するようにという命令７３ａを、サブキャリア割当部４０に供給する。サブキャリア割当部４０は、この命令７３ａにしたがって送信電力の設定値を増加させ、増加された送信電力でＡＣＫコード７０を送信する。その結果、送信部１０は、第１の送信電力（増加させる前の送信電力）より大きな第２の送信電力でＡＣＫ信号を再送する（Ｓ１８）。
【００９５】
このように応答制御部１０は、受信パケット２８が正常に受信されてＡＣＫ信号が第１の送信電力で返送させた後に正常に受信された受信パケット２８ｄが再送されてきた場合、第１の送信電力より大きい第２の送信電力で送信部８にＡＣＫ信号７２を再返送する制御を行う。
【００９６】
送信電力が大きくなるので、再送されるＡＣＫ信号７２ｂは、基地局に届きやすくなる。このＡＣＫ信号７２ｂが基地局に正常に受信されると、パケット２８の送信処理が終了する（Ｂ６→Ｂ８→Ｂ１０）。
【００９７】
図９には、送信電力が増加されずにＡＣＫ信号（ＡＣＫ＃０）７２ｃが再返送される場合が示されている。このケースでは、ＡＣＫ信号７２ｃは小さいままの送信電力で再返送されるので、最初に返送されるＡＣＫ信号７２と同じく再返送されるＡＣＫ信号７２ｃも基地局に届き難い。このため、ＡＣＫ信号の返送が繰り返され、通信速度が遅くなる。
【００９８】
例えばモバイルＷｉＭＡＸでは、応答信号の変調方式は、雑音に強いＱＰＳＫである。ただし応答信号の送信電力は、送信パケット４６の送信電力より小さく設定される。このため、送信パケット４６が基地局に届いても、ＡＣＫ信号は基地局に届かないことがある。
【００９９】
このような場合に、送信電力を増加させずにＡＣＫ信号を再返送すると、ＡＣＫ信号７２は基地局に届かず、基地局からパケットが繰り返し再送されてくる。このため、基地局と通信端末の通信速度が著しく低下する。このような通信速度の低下は、応答信号の送信電力が送信パケットの送信電力より５ｄＢ以上低い場合に起きやすい。
【０１００】
実施の形態１は、このように応答信号の送信電力が送信パケットの送信電力より小さく設定される通信システムで、特に有用である。したがって実施の形態１は、応答信号（特に、ＡＣＫ信号７２）の送信電力が、送信パケット４６の送信電力より小さい通信端末に適用されることが好ましい。
【０１０１】
実施の形態１では、ＡＣＫ信号の送信電力は、再返送される際に増加される。したがって、上記「応答信号（特に、ＡＣＫ信号７２）の送信電力」とは、正確には、最初に送信されるＡＣＫ信号７２の送信電力（以下、ＡＣＫ送信電力の初期値と呼ぶ）のことである。すなわち、最初に送信されるＡＣＫ信号は、送信パケット４６の送信電力より小さい送信電力で送信されることが好ましい。
【０１０２】
具体的には、実施の形態１は、ＡＣＫ送信電力の初期値が送信パケット４６の送信電力より約５ｄＢ以上小さい通信端末に適用されることが好ましい。但し、ＡＣＫ送信電力の初期値が送信パケットの送信電力より約９ｄＢ以上小さいと、（ＡＣＫ送信電力の初期値で）ＡＣＫ信号を基地局に到達させることが困難になる。したがって、ＡＣＫ送信電力の初期値は、送信パケット４６の送信電力より５ｄＢ以上９ｄＢ以下小さい電力であることが好ましい。
【０１０３】
尚、ＡＣＫ信号７２が１回だけ再辺信される場合、ＡＣＫ送信電力の初期値が上記第１の送信電力になる。因みに、モバイルＷｉＭＡＸでは、ＡＣＫ送信電力の初期値は、基地局からブロードキャストされる。
【０１０４】
上述したように、実施の形態１は、ＡＣＫ送信電力の初期値が送信パケット４６の送信電力より５〜９ｄＢ低い通信端末に適用されることが好ましい。したがって、ＡＣＫ信号を再返送する電力（第２の送信電力）は、再返送前の送信電力（ＡＣＫ送信電力の初期値）より１〜６ｄＢ（所定の倍率）大きいことが好ましい。
【０１０５】
ＡＣＫ信号を再返送する電力が小さいとＡＣＫ信号が基地局に届かず、一方ＡＣＫ信号を再返送する電力が大きすぎると、他の通信端末に障害が起きやすくなる。このため、ＡＣＫ信号を再返送する電力は、再返送前の送信電力より１〜６ｄＢ程度大きいことが好ましい。
【０１０６】
（ii）送信パケットの符号化
図４に示すように、上りＨＡＲＱ処理部６４は、ＵＬメモリから送信パケット４６が供給されると、誤り検出符号(例えば、ＣＲＣ符号)を送信パケット４６に付加する。誤り検出符号が付加された送信パケット４６ｂは、上り誤り訂正部６６に供給される。
【０１０７】
上り誤り訂正部６６は、この送信パケット４６ｂを符号化（例えば、ターボ符号化）し、送信部８のサブキャリア割当部４０に供給する。送信部８は、この符号化された送信パケット４６ｂを送信する。
【０１０８】
（５）変形例１
図５及び６に示すフローチャートでは、正常に受信された受信パケット２８が再受信されるごとにＡＣＫ信号が再返送される。しかし、一時的な電波環境の悪化でＡＣＫ信号が基地局に届かない場合には、送信電力を大きくしなくても暫時待てばＡＣＫ信号が基地局に届くようになる。
【０１０９】
そこで、応答制御部１０は、正常に受信された受信パケット２８が所定の回数（≧２）連続して再送されてきた場合に、送信部８に、最初の送信電力（第１の送信電力）より大きい送信電力（第２の送信電力）でＡＣＫ信号を返送させてもよい。
【０１１０】
応答制御部１０は、正常に受信された受信パケット２８が上記所定の回数（≧２）連続して再送されてくるまでは、送信部８に、第１の送信電力でＡＣＫ信号を再返送する制御を行う（第１の送信電力でＡＣＫ信号を再返送するように送信部８を制御する。）。この間に電波環境が回復すれば、ＡＣＫ信号が基地局に届くようになる。したがって、ＡＣＫ信号の送信電力を、過敏に変更しなくてもよい。
【０１１１】
（６）変形例２
ところで、送信パケットの変調方式は、基地局がフレームごとに決定し、下りサブフレームのＭＡＰで通信端末２に送信する。通信端末２のデータ処理部１２は、送信されてきた変調方式をサブキャリア割当部４０に設定する。送信パケットの送信電力は、データ処理部１２が変調方式ごとに算出し、サブキャリア割当部４０に設定する。この時、データ処理部１２は、受信信号のＲＳＳＩ（Received Signal Strength Indicator）に基づいて、送信パケット４６の送信電力を算出する。
【０１１２】
このように送信パケット４６は、ＲＳＳＩに基づいて算出される電力で送信されるので、基地局に届きやすい。したがって送信パケット４６とＡＣＫ信号（ＡＣＫコード７６）の変調方式が同じ場合には、送信パケット４６の送信電力でＡＣＫ信号を送信すると、ＡＣＫ信号が基地局に届きやすくなる。
【０１１３】
そこで、ＡＣＫ信号７２の第２の送信電力（再返送する電力）を、ＡＣＫ信号７２の変調方式（例えば、ＱＰＳＫ）で変調されて送信される送信パケット４６の送信電力に設定する。これにより、ＡＣＫ信号が基地局に届きやすくなる。
【０１１４】
（実施の形態２）
実施の形態２の通信端末は、実施の形態１の通信端末２と共通する構成を有している。したがって、実施の形態１と共通する部分については、説明を省略する。
【０１１５】
図１０は、実施の形態２の応答制御部１０ａの構成図である。図１０には、応答制御部１０ａに接続される回路の一部も示されている。
【０１１６】
図１０に示すように、実施の形態２の通信端末は、実施の形態１の各ブロック（下り訂正部５６等）に加え、ＲＳＳＩ測定部９０と、ＡＣＫＣＨ送信電力調整部９２ａとを有している。ＡＣＫＣＨ送信電力調整部９２ａは、応答制御部１０ａの一部である。
【０１１７】
ＲＳＳＩ測定部９０の入力部は、ＡＤＣ１６とＦＦＴ１８の間の接続ノードに接続されている。一方、ＲＳＳＩ測定部９０の出力部は、ＡＣＫＣＨ送信電力調整部９２ａに接続されている。ＲＳＳＩ測定部９０は、下りサブフレームに含まれるプリアンブル信号に基づいて、ＲＳＳＩ(受信信号強度指標)を測定する。測定されたＲＳＳＩ（ＲＳＳＩ測定値）は、ＡＣＫＣＨ送信電力調整部９２ａに供給される。
【０１１８】
ＡＣＫＣＨ送信電力調整部９２ａは、ＨＡＲＱ＿ＳＮ判定部６０とサブキャリア割当部４０の間に設けられる。ＡＣＫＣＨ送信電力調整部９２ａは、ＡＣＫＣＨ送信電力調整テーブルが記録されたメモリ（図示せず）を有している。
【０１１９】
ＨＡＲＱ＿ＳＮ判定部６０は、受信したパケット（受信パケット）がＡＣＫ信号で応答したパケットが再送されてきたものと判断（Ｓ１６のＹＥＳ）すると、ＡＣＫＣＨ送信電力調整部９２ａに送信電力調整信号を供給する。
【０１２０】
ＡＣＫＣＨ送信電力調整部９２ａは送信電力調整信号が供給されると、ＡＣＫＣＨ送信電力調整テーブルから上記ＲＳＳＩ測定値に対応する、応答信号の送信電力（ＡＣＫＣＨ送信電力）の増加量を読み出し、サブキャリア割当部４０に供給する。サブキャリア割当部４０は、供給されたＡＣＫＣＨ送信電力の増加量分だけ応答信号が大きくなるように、応答信号の変調強度を大きくする。
【０１２１】
【表１】
0005910047.tif 000002
【０１２２】
表１は、ＡＣＫＣＨ送信電力調整テーブルの一例である。
【０１２３】
第１列には、受信信号のＲＳＳＩ（Ｘ）が記録されている。第２列には、ＡＣＫＣＨ送信電力の増加量が記録されている。
【０１２４】
例えば、ＡＣＫＣＨ送信電力調整部９２ａは、ＲＳＳＩ測定値Ｘが−９０ｄＢｍ以下であった場合、ＡＣＫＣＨ送信電力の増加量６ｄＢをＡＣＫＣＨ送信電力調整テーブルから読み出して、サブキャリア割当部４０に供給する。するとサブキャリア割当部４０は、６ｄＢ分だけ応答信号の送信電力が大きくなるように、応答信号の変調強度を大きくする。
【０１２５】
例えば、送信電力調整信号が供給される前の送信電力（第１の送信電力）が１０ｄＢｍの場合、ＡＣＫＣＨ送信電力調整部９２ａは、応答信号の送信電力（第２の送信電力）が１６ｄＢｍ（＝１０ｄＢｍ+６ｄＢ）になるように、応答信号の変調強度を大きくする。
【０１２６】
具体的には、サブキャリア割当部４０は、変調強度の設定値を増加させ、増加させた変調度でＡＣＫＣＨ処理部６２が供給する応答コード（ＡＣＫコードおよびＮＡＣＫコード）を変調する。その結果、応答信号の送信電力が大きくなる。下記変形例および実施の形態３においても、同じである。
【０１２７】
表１のＲＳＳＩの測定値Ｘとしては、例えば送信電力調整信号が供給された際の測定値（送信電力調整信号が供給された後最初に測定値された値、または送信電力調整信号が供給される前最後に測定値された値など）を用いる。後述する、表２及び３の測定値Ｘについても同じである。
【０１２８】
ＡＣＫＣＨ送信電力調整テーブルには、実験で求められるＡＣＫＣＨ送信電力増加量の最適値が記録される。したがって、実施の形態２によれば、再返送されるＡＣＫ信号が基地局に届きやすくなる。
【０１２９】
（変形例）
図１１は、実施の形態２の通信端末の変形例を説明する構成図である。
【０１３０】
変形例の通信端末は、図１１に示すように、ＲＳＳＩ測定部９０の代わりにＣＩＮＲ測定部９４を有している。ＣＩＮＲ測定部９４の入力部は、ＦＦＴ１８と復調器２０の間の接続ノードに接続されている。ＣＩＮＲ測定部９４の出力部は、ＡＣＫＣＨ送信電力調整部９２ｂに接続されている。
【０１３１】
ＣＩＮＲ測定部９４は、下りサブフレームに含まれるプリアンブル信号に基づいてＣＩＮＲ(キャリア（搬送波）対干渉雑音比)を測定する。測定されたＣＩＮＲは、ＡＣＫＣＨ送信電力調整部９２ｂに供給される。
【０１３２】
ＡＣＫＣＨ送信電力調整部９２ｂのメモリには、表１の代わりに、例えば表２のＡＣＫＣＨ送信電力調整テーブルが記録されている。
【０１３３】
【表２】
0005910047.tif 000003
【０１３４】
表２の第１行には、ＲＳＳＩの代わりに、受信信号のＣＩＮＲ（Ｘ）が記録されている。第２行には、応答信号の送信電力の増加量が記録されている。
【０１３５】
ＡＣＫＣＨ送信電力調整部９２ｂは送信電力調整信号が供給されると、ＡＣＫＣＨ送信電力調整テーブルからＣＩＮＲの測定値（例えば、０ｄＢ）に対応する送信電力（ＡＣＫＣＨ送信電力）の増加量（例えば、６ｄＢ）を読み出して、サブキャリア割当部４０に供給する。サブキャリア割当部４０は、供給されたＡＣＫＣＨ送信電力の増加量（例えば、６ｄＢ）応答信号が大きくなるように、応答信号の変調強度を大きくする。
【０１３６】
以上のように、実施の形態２の通信端末は、応答信号の第２の送信電力（増加させた送信電力）を、基地局から送信されてくる下り信号の特性（ＲＳＳＩ、ＣＩＮＲ等）に応じた所定の倍率、応答信号の第１の送信電力（増加させる前の送信電力）より大きくする。
【０１３７】
（実施の形態３）
実施の形態２の通信端末は、実施の形態２の通信端末２と共通する構成を有している。したがって、実施の形態２と共通する部分については、説明を省略する。
【０１３８】
図１２は、実施の形態３の応答制御部１０ｃの構成図である。図１２には、応答制御部１０ｃに接続される回路の一部も示されている。
【０１３９】
図１２に示すように、実施の形態３の通信端末は、ＲＳＳＩ測定部９０の代わりに、ＲＳＳＩ／ＣＩＮＲ測定部９６を有している。さらに実施の形態３の通信端末は、調整値補正部９８を有している。
【０１４０】
ＲＳＳＩ／ＣＩＮＲ測定部９６の第１の入力部は、ＡＤＣ１６とＦＦＴ１８の間の接続ノードに接続されている。ＲＳＳＩ／ＣＩＮＲ測定部９６の第２の入力部は、ＦＴＴ１８と復調器２０の間の接続ノードに接続されている。
【０１４１】
ＲＳＳＩ／ＣＩＮＲ測定部９６の第１の出力部は、ＡＣＫＣＨ送信電力調整部９２ｃに接続されている。ＲＳＳＩ／ＣＩＮＲ測定部９６の第２の出力部は、調整値補正部９８に接続されている。
【０１４２】
ＲＳＳＩ／ＣＩＮＲ測定部９６は、受信信号のＲＳＳＩおよびＣＩＮＲを測定し、それぞれの測定値をＡＣＫＣＨ送信電力調整部９２ｃに供給する。また、ＲＳＳＩ／ＣＩＮＲ測定部９６は、測定したＲＳＳＩおよびＣＩＮＲの変化量を算出し調整部９８に供給する。
【０１４３】
ＡＣＫＣＨ送信電力調整部９２ｃは、ＨＡＲＱ＿ＳＮ判定部６０から送信電力調整信号が供給されると、ＡＣＫＣＨ送信電力調整テーブルから送信電力（ＡＣＫＣＨ送信電力）の増加量を読み出して、サブキャリア割当部４０に供給する。サブキャリア割当部４０は、供給されたＡＣＫＣＨ送信電力の増加量分だけ応答信号が大きくなるように、応答信号の変調強度を大きくする。
【０１４４】
【表３】
0005910047.tif 000004
【０１４５】
表３は、ＡＣＫＣＨ送信電力調整テーブルの一例である。
【０１４６】
第１列には、受信信号のＲＳＳＩとＣＩＮＲの和（Ｘ）が記録されている。第２列には、ＡＣＫＣＨ送信電力の増加量が記録されている。
【０１４７】
例えば、ＡＣＫＣＨ送信電力調整部９２ｃは、ＲＳＳＩ測定とＣＩＮＲ測定値の和Ｘが−９０ｄＢｍより大きく−７０ｄＢｍ以下の場合、ＡＣＫＣＨ送信電力調整テーブルからＡＣＫＣＨ送信電力の５ｄＢ増加量を読み出して、サブキャリア割当部４０に供給する。
【０１４８】
ＡＣＫ送信電力の増加量（例えば、５ｄＢ）は、調整値補正部９８を介してサブキャリア割当部４０に供給される。サブキャリア割当部４０は、ＡＣＫＣＨ送信電力の増加量（例えば、５ｄＢ）応答信号が大きくなるように、応答信号の変調強度を大きくする。この時、調整値補正部９８は、メモリ（図示せず）にＡＣＫＣＨ送信電力の増加量を記録する。
【０１４９】
ＨＡＲＱ＿ＳＮ判定部６０が生成する送信電力調整信号は、信号線（図示せず）を介して、ＲＳＳＩ／ＣＩＮＲ測定部９６にも供給される。ＲＳＳＩ／ＣＩＮＲ測定部９６は、送信電力調整信号に応答して、メモリ（図示せず）にＲＳＳＩおよびＣＩＮＲの測定値を記録する。
【０１５０】
実施の形態１及び２では、再返送されたＡＣＫ信号が基地局に届いた後も、応答信号の送信電力は元には戻らない（図５及び６のフローチャート参照）。したがって、電波環境が改善されても、応答信号の送信電力は高止まりしたままである。応答信号の送信電力が高いままだと、他の通信端末に通信障害が発生することがある。
【０１５１】
そこで、応答制御部１０ｃは、第２の送信電力で送信部８にＡＣＫ信号を再返送させた後に下り信号の特性が改善された場合、下り信号の特性（ＲＳＳＩやＣＩＮＲ）の改善幅に応じて、ＡＣＫ信号の送信電力を小さくする。
【０１５２】
図１３は、調整値補正部９８が行う補正処理の説明図である。ＲＳＳＩ／ＣＩＮＲ測定部９６には、上述したように送信電力調整信号が供給された際のＲＳＳＩ測定値とＣＩＮＲ測定値が記録されている。
【０１５３】
ＲＳＳＩ／ＣＩＮＲ測定部９６は、記録されているＲＳＳＩを基準値として、ＲＳＳＩの変化量（＝測定値−基準値）を算出する。算出されたＲＳＳＩの変化量は、調整値補正部９８に供給される。同様に、ＲＳＳＩ／ＣＩＮＲ測定部９６は、記録されているＣＩＮＲ変化量を基準として、ＣＩＮＲの変化量を算出する。算出されたＣＩＮＲの変化量は、調整値補正部９８に供給される。
【０１５４】
図１３に示すように、調整値補正部９８は、供給されたＲＳＳＩの変化量１００およびＣＩＮＲの変化量１０２の平均値１０４を算出する。調整値補正部９８は、この平均値１０４を、記録されているＡＣＫＣＨ送信電力の増加量１０６から差し引いて、ＡＣＫＣＨ送信電力の増加量を補正する。補正された増加量（以下、補正値と呼ぶ）１０８は、サブキャリア割当部４０に供給される。
【０１５５】
サブキャリア割当部４０は、ＡＣＫＣＨ送信電力がその初期値（増加させる前のＡＣＫＣＨ送信電力）からこの補正値の分だけ大きくなるように、応答信号の変調強度を変更する。例えば、ＲＳＳＩ変化量およびＣＩＮＲ変化量の平均値が１ｄＢ改善されると、ＡＣＫＣＨ送信電力が１ｄＢ低くなるように、応答信号の変調強度が補正される。
【０１５６】
このように実施の形態３では、電波環境が改善されると、増加させられた送信電力は再び小さくなる。このため、他の通信端末の通信障害が起き難くなる。
【０１５７】
図１３に示す例では、ＲＳＳＩ変化量およびＣＩＮＲ変化量の平均値に基づいて、ＡＣＫＣＨ送信電力を補正している。しかし、ＲＳＳＩ変化量またはＣＩＮＲ変化量だけに基づいて、ＡＣＫＣＨ送信電力を補正してもよい。
【０１５８】
実施の形態１〜３の通信方式は、モバイルＷｉＭＡＸである。しかし、実施の形態１〜３は、他の通信方式に適用されてもよい。例えば、実施の形態１〜３は、固定ＷｉＭＡＸ、ＷｉＦｉ（IEEE802.11）、ＬＴＥ(Long Term Evolution)）などの他の通信方式に適用されてもよい。
【０１５９】
上述したように、実施の形態１〜３の再送要求は、ＨＡＲＱである。しかし、再送要求は、ＡＲＱなど他の方式であってもよい。
【０１６０】
因みに、ＡＲＱでは、復調された受信パケットに対して誤り検出が行われ、誤りが検出されなければ受信パケットが正常に受信されたと判断されＡＣＫ信号が返送される。復調された受信パケットに誤りが検出されれば、受信パケットが正常に受信されなかったと判断され、ＮＡＣＫ信号が返送される。
【０１６１】
また実施の形態１〜３では、ＡＣＫ信号とＮＡＣＫ信号の送信電力（および変調強度）は同じである。しかし、ＡＣＫ信号とＮＡＣＫ信号の送信電力（および変調強度）は、異なっていてもよい。例えば、ＡＣＫ信号で応答したパケットが再送されてきた場合に、ＡＣＫ信号の送信電力だけを増加させてもよい。ＮＡＣＫ信号の送信電力を増加させなくても、基地局から再送されてくるパケットが正常に受信されれば、ＮＡＣＫ信号が何度も繰り返し返送されることはない。
【０１６２】
以上の実施の形態１〜３に関し、更に以下の付記を開示する。
【０１６３】
（付記１）
基地局に応答信号を送信する送信部と、
前記基地局からの受信信号を受信する受信部と、
前記受信信号が正常に受信された場合、肯定応答信号を前記基地局に送信するよう前記送信部を制御する応答制御部とを有し、
前記応答制御部は、前記受信信号が正常に受信されて前記肯定応答信号が第１の送信電力で送信された後に正常に受信された前記受信信号が再送された場合、前記第１の送信電力より大きい第２の送信電力で前記肯定応答信号を再送信するよう制御する
通信端末。
【０１６４】
（付記２）
付記１に記載の通信端末において、
前記応答制御部は、前記受信信号が正常に受信されなかった場合、否定応答信号を送信するよう前記送信部を制御する
ことを特徴とする通信端末。
【０１６５】
（付記３）
付記１又は２に記載の通信端末において、
最初に送信される前記肯定応答信号は、送信パケットの送信電力より小さい送信電力で送信されることを
特徴とする通信端末。
【０１６６】
（付記４）
付記１乃至３のいずれか１項に記載の通信端末において、
前記応答制御部は、正常に受信された前記受信信号が２回以上連続して再送された場合に、前記肯定応答信号を前記第２の送信電力で送信するよう制御することを
特徴とする通信端末。
【０１６７】
（付記５）
付記１乃至４のいずれか１項に記載の通信端末において、
前記第２の送信電力は、前記第１の送信電力より所定の倍率大きいことを
特徴とする通信端末。
【０１６８】
（付記６）
付記１乃至４に記載の通信端末において、
前記第２の送信電力は、前記肯定応答信号の変調方式で変調されて送信される送信パケットの送信電力であることを
特徴とする通信端末。
【０１６９】
（付記７）
付記１乃至４のいずれか１項に記載の通信端末において、
前記第２の送信電力は、前記基地局から送信された下り信号の特性に応じた所定の倍率分だけ前記第１の送信電力より大きいことを
特徴とする通信端末。
【０１７０】
（付記８）
付記７に記載の通信端末において、
前記応答制御部は、
前記第２の送信電力で前記肯定応答信号が再送信された後に前記下り信号の特性が改善された場合、前記肯定応答信号の送信電力を小さくする
ことを特徴とする通信端末。
【０１７１】
（付記９）
通信端末における再送制御方法であって、
基地局からの受信信号が正常に受信された場合、肯定応答信号を前記基地局に送信し、
前記受信信号が正常に受信されて前記肯定応答信号が第１の送信電力で送信された後に正常に受信された前記受信信号が再送された場合、前記第１の送信電力より大きい第２の送信電力で前記肯定応答信号を再送信する
再送制御方法。
【符号の説明】
【０１７２】
２・・・通信端末
６・・・受信部
８・・・送信部
１０・・・応答制御部
１２・・・データ処理部
６７、７３・・・命令
２８・・・受信パケット
６９・・・ＨＡＲＱ識別一連番号
７１・・・ＨＡＲＱチャネル識別番号
【図１】
0005910047.tif 000005
【図２】
0005910047.tif 000006
【図３】
0005910047.tif 000007
【図４】
0005910047.tif 000008
【図５】
0005910047.tif 000009
【図６】
0005910047.tif 000010
【図７】
0005910047.tif 000011
【図８】
0005910047.tif 000012
【図９】
0005910047.tif 000013
【図１０】
0005910047.tif 000014
【図１１】
0005910047.tif 000015
【図１２】
0005910047.tif 000016
【図１３】
0005910047.tif 000017